(57)【要約】【課題】本考案は、電動立ち上がりアシストリクライニングチェアを提供する。【解決手段】本考案の電動立ち上がりアシストリクライニングチェアは、ベース１、シートユニット２、バックレストユニット３、レッグレストユニット４、連動ユニット５、電動シャフト６を含む。シートユニット２はベース１上方に設け、シートフレーム２１、シャーシ２２を備える。シートフレーム２１にはストッパ部２１４が設けられる。バックレストユニット３はバックレストフレーム３１、第１リンクバー３２を備える。レッグレストユニット４は展開・折り畳みができ、レッグレストユニット４の展開時にシートユニット２のストッパ部２１４と当接する当接端を備える。連動ユニット５は第１フレーム５１、第２フレーム５２、作動ブロック５３、伸縮バー５４を含む。第１フレーム５１と第２フレーム５２の二端はそれぞれベース１及びシートユニット２のシャーシ２２と枢着する。【選択図】図１
0003219621.tif 000002
【実用新案登録請求の範囲】
【請求項１】
電動立ち上がりアシストリクライニングチェアであって、
ベースと、
前記ベースの上方に設けられ、シートフレームと、前記シートフレームの下方に設けられたシャーシとを備え、前記シートフレームの前方にはストッパ部が設けられたシートユニットと、
前記シートユニットの後方に設けられ、バックレストフレームと、第１リンクバーを備え、前記バックレストフレームの下方は前記シートフレームの後方と枢着され、また前記第１リンクバーの一端は前記バックレストフレームの下方と枢着されたバックレストユニットと、
展開・折り畳みが可能であり、前記シートユニットの前方と枢着され展開時に後方に位置する接続部、及び、展開時に前方に位置する支持部を備えており、且つ展開時に前記シートユニットの前記ストッパ部と当接する当接端を備えたレッグレストユニットと、
第１フレームと、第２フレームと、作動ブロックと、伸縮バーとを含み、前記第１フレーム及び前記第２フレームの二端はそれぞれ前記ベース及び前記シートユニットの前記シャーシと枢着され、前記シートユニットの前記ベースに対する昇降動作を連動させることができ、前記作動ブロックは前記バックレストユニットの前記第１リンクバー、前記シートユニット、前記第２フレーム、前記伸縮バーと枢着され、前記伸縮バーは伸縮可能な弾性を有し、前記伸縮バーの二端はそれぞれ前記作動ブロック及び前記レッグレストユニットの前記接続部と枢着された連動ユニットと、
一端が前記作動ブロックと枢着され、伸長して前記レッグレストユニットの展開及び前記バックレストの後傾動作を連動させることができる電動シャフトと、
を含み、
前記伸縮バーは前記レッグレストユニットの前記当接端が前記シートユニットの前記ストッパ部に当接した時に収縮動作が可能となり、且つ前記バックレストフレームを単独で後傾動作可能にし、また前記電動シャフトの収縮時に前記第１フレーム、前記第２フレーム及び前記シートユニットの上昇及び前記シートフレーム後方の上昇動作を連動させることができることを特徴とする電動立ち上がりアシストリクライニングチェア。
【請求項２】
前記連動ユニットはさらに、巻き上げドラムとコード体とを備えるコード牽引装置を含み、
前記巻き上げドラムは前記シートユニット上に設けられ、
前記コード体は前記巻き上げドラム上に設けられ、巻き上げ可能な弾性を有し、
前記コード体の一端は前記レッグレストユニットの前記支持部の前方と結合されることを特徴とする請求項１に記載の電動立ち上がりアシストリクライニングチェア。
【請求項３】
前記伸縮バーは外筒と前記外筒内に設けられた内部バーとを備えており、
前記内部バーの一端は前記外筒内で空気圧又はバネにより伸縮動作が可能であることを特徴とする請求項１に記載の電動立ち上がりアシストリクライニングチェア。
【請求項４】
前記ベースに地面と平行なクロスアームが設けられ、
前記クロスアームの両側の上方と下方それぞれに第１枢着部、第２枢着部が設けられ、
前記シートユニットの前記シートフレームの前方には第３枢着部、第４枢着部が設けられ、
前記シートユニットの前記シートフレームの後方の両側及び中央のそれぞれに第５枢着部、第６枢着部が設けられ、
前記シャーシは前記シートフレームの両側に固定接続され、前記シートフレームの両側の上方と下方それぞれに第７枢着部、第８枢着部が設けられ、
前記バックレストユニットの前記バックレストフレームの下方両側それぞれに対応するサイドプレートが設けられ、前記サイドプレートの前方には第９枢着部が設けられて、前記シートフレームの前記第５枢着部と枢着され、
前記バックレストフレームの中央の下方には第１０枢着部が設けられ、また前記第１リンクバーの後方と前方それぞれに第１１枢着部、第１２枢着部が設けられ、
前記第１１枢着部は前記バックレストフレームの前記第１０枢着部と枢着されることを特徴とする請求項１に記載の電動立ち上がりアシストリクライニングチェア。
【請求項５】
前記レッグレストユニットの前記接続部はフレームと、２本の第２リンクバーとを備え、
前記フレームの後方に第１３枢着部、第１４枢着部が設けられ、前記第１４枢着部は前記シートユニットの前記第４枢着部と枢着され、
前記２本の第２リンクバーの二端それぞれは前記シートフレームの前記第３枢着部及び前記支持部と枢着され、
前記支持部はリンケージを備え、前記リンケージの後方は前記接続部の前記第２リンクバーと枢着され、
前記レッグレストユニットが折り畳まれる時に前記接続部及び前記支持部を前記シートフレームの下方に位置させることができ、
前記レッグレストユニットの展開時には前記接続部及び前記支持部を前記シートフレームの前方に位置させることができることを特徴とする請求項４に記載の電動立ち上がりアシストリクライニングチェア。
【請求項６】
前記第１フレームの後端と前端それぞれに第１５枢着部、第１６枢着部が設けられ、
前記第１５枢着部は前記ベースの前記第１枢着部と枢着され、
前記第１６枢着部は前記シートユニットの前記第７枢着部と枢着され、
前記第２フレームの後端と前端それぞれに第１７枢着部、第１８枢着部が設けられ、
前記第１７枢着部は前記ベースの前記第２枢着部と枢着され、
前記第１８枢着部は前記シートユニットの前記第８枢着部と枢着され、
前記第２フレームに第１９枢着部が設けられることを特徴とする請求項５に記載の電動立ち上がりアシストリクライニングチェア。
【請求項７】
前記作動ブロックは前記シートユニットの下方且つ前記第１フレーム、前記第２フレームの前方の位置に設けられ、
前記作動ブロックの後方には第２０枢着部が設けられ、
前記作動ブロックの前方には上から下まで順に第２１枢着部、第２２枢着部、第２３枢着部が設けられ、
前記第２０枢着部は前記シートユニットの前記第１２枢着部と枢着され、
前記第２３枢着部は前記第２フレームの前記第１９枢着部と枢着され、
前記伸縮バーの一端は前記作動ブロックの前記第２１枢着部と枢着され、
前記伸縮バーの別の一端は前記レッグレストユニットの前記第１３枢着部と枢着されることを特徴とする請求項６に記載の電動立ち上がりアシストリクライニングチェア。
【請求項８】
前記電動シャフトの一端は前記シートユニットの前記第６枢着部と枢着され、
前記電動シャフトの別の一端は前記作動ブロックの前方中央の前記第２２枢着部と枢着されることを特徴とする請求項７に記載の電動立ち上がりアシストリクライニングチェア。
【請求項９】
前記シートフレームの両側の後端それぞれに凸ボタンが設けられ、
前記バックレストユニットの前記バックレストフレーム上の２枚の前記サイドプレートには、前記シートユニットの前記凸ボタンを接合可能な円弧形溝孔が設けられることを特徴とする請求項４に記載の電動立ち上がりアシストリクライニングチェア。
【考案の詳細な説明】
【技術分野】
【０００１】
本考案はリクライニングチェアに関するものであり、主に単一の電動シャフトによって動作し、且つ操作の利便性、安定性に優れた、電動立ち上がりアシストリクライニングチェアに関する。
【背景技術】
【０００２】
従来のチェアは、一般的に座面、背もたれを備えており、それにより臀部の着座及び背部の凭れ掛かりを提供する。
また脚部を支持して快適性を提供するため、座面前方に脚部の支持に供する伸縮可能なレッグレストを設けることもでき、背もたれは後傾角度を調節可能にすることで座り心地の快適さを向上させている。
【０００３】
また現在では、チェアを離れる際の利便性を提供するため、チェアに使用者の立ち上がりを容易にすることが可能な設計を持たせており、主にチェアの後方を上昇可能にして、使用者の臀部の重心を高め、前に移すことで、チェアから離れて立ち上がる動作を容易にするというものである。
【０００４】
例えば特許文献１で開示されているチェアは、背もたれの角度を調節する動作を提供する電動シャフトを備える。それは背もたれが後傾すると同時にレッグレストを連動して展開させる動作が可能であり、また座面後方を上昇制御して立ち上がる動作を容易にすることが可能なもう一つの電動シャフトを備えるというものである。
しかし、この構造では２本の電動シャフトを使用しなければならず、部品コストが高いうえに、使用の簡便さに欠けている。
また、使用者が読書や飲食をする際に背もたれを大きく後傾させずにレッグレストだけを展開させたくても、上記のチェアではそうした動作ができず、そうした動作への適用性に欠けている。
【０００５】
現在、上記のチェアには、恐らく一つの電動シャフトで背もたれの後傾角度と座面の上昇動作を制御可能な設計が使用されているであろうが、そのような設計では連動部品が複雑になり、安定性の欠如を招く可能性がある。
【先行技術文献】
【特許文献】
【０００６】
【特許文献１】米国特許第７５４３８８５号
【考案の概要】
【考案が解決しようとする課題】
【０００７】
本考案は、単一の電動シャフトによって動作し、操作の利便性、安定性、及び快適性に優れた、電動立ち上がりアシストリクライニングチェアを提供する事を目的としている。
【課題を解決するための手段】
【０００８】
本考案の電動立ち上がりアシストリクライニングチェアは、ベース、シートユニット、バックレストユニット、レッグレストユニット、連動ユニット、電動シャフトを含む。
シートユニットはベースの上方に設けられ、シートフレーム、シートフレームの下方に設けられたシャーシを備えている。
シートフレームの前方にはストッパ部が設置されている。
バックレストユニットはシートユニットの後方に設けられ、バックレストフレーム、第１リンクバーを備えており、バックレストフレームの下方はシートフレームの後方と枢着される。
第１リンクバーの一端はバックレストフレームの下方と枢着される。
レッグレストユニットは展開・折り畳みが可能で、展開時に後方に位置する接続部及び前方に位置する支持部を備えており、接続部はシートユニットの前方と枢着され、且つレッグレストユニットの展開時にシートユニットのストッパ部と当接する当接端を備えている。
連動ユニットは、第１フレーム、第２フレーム、作動ブロック、伸縮バーを含む。
第１フレーム及び第２フレームの二端はそれぞれベース及びシートユニットのシャーシと枢着され、且つシートユニットのベースに対する昇降動作を連動させることができる。
作動ブロックはバックレストユニットの第１リンクバー、シートユニット、第２フレーム、伸縮バーと枢着される。
伸縮バーは伸縮可能な弾性を有し、二端はそれぞれ作動ブロック及びレッグレストユニットの接続部と枢着される。
電動シャフトの一端は作動ブロックと枢着され、且つ伸長してレッグレストユニットの展開及びバックレストの後傾動作を連動させることができる。
伸縮バーはレッグレストユニットの当接端がシートユニットのストッパ部に当接した時に収縮動作が可能となり、且つバックレストフレームを単独で後傾動作可能にする。
電動シャフトは収縮時に第１フレーム、第２フレーム及びシートユニットの上昇及びシートフレーム後方の上昇動作を連動させることができる。
【０００９】
連動ユニットはさらに巻き上げドラム、コード体を備えたコード牽引装置を含む。
巻き上げドラムはシートユニット上に設けられる。
コード体は巻き上げドラム上に設けられ、且つ巻き上げ可能な弾性を有し、コード体の一端はレッグレストユニットの支持部の前方と結合される。
【００１０】
伸縮バーは外筒と外筒内に設けられた内部バーからなり、内部バーの一端は外筒内で空気圧又はバネにより伸縮動作が可能である。
【００１１】
ベースには地面と平行なクロスアームが設けられる。
クロスアームの両側の上方と下方それぞれには第１枢着部、第２枢着部が設けられる。
シートユニットのシートフレームの前方には第３枢着部、第４枢着部が設けられ、後方の両側及び中央それぞれには第５枢着部、第６枢着部が設けられる。
シャーシはシートフレームと固定接続され、また両側の上方と下方それぞれには第７枢着部、第８枢着部が設けられる。
バックレストユニットのバックレストフレームの下方両側それぞれには対応するサイドプレートが設けられ、サイドプレートの前方には第９枢着部が設けられて、シートフレームの第５枢着部と枢着され、バックレストフレーム中央の下方には第１０枢着部が設けられる。
第１リンクバーの後方と前方それぞれには第１１枢着部、第１２枢着部が設けられ、第１１枢着部はバックレストフレームの第１０枢着部と枢着される。
【００１２】
レッグレストユニットの接続部はフレームと２本の第２リンクバーを備える。
フレームの後方には第１３枢着部、第１４枢着部が設けられ、第１４枢着部はシートユニットの第４枢着部と枢着される。
２本の第２リンクバーの二端それぞれはシートフレームの第３枢着部及び支持部と枢着される。支持部はリンケージを備え、リンケージの後方は接続部の第２リンクバーと枢着される。
レッグレストユニットが折り畳まれる時に接続部及び支持部をシートフレームの下方に位置させることができ、またレッグレストユニットの展開時には接続部及び支持部をシートフレームの前方に位置させることができる。
【００１３】
第１フレームの後端と前端それぞれには第１５枢着部、第１６枢着部が設けられる。
第１５枢着部はベースの第１枢着部と枢着され、第１６枢着部はシートユニットの第７枢着部と枢着される。
第２フレームの後端と前端それぞれには第１７枢着部、第１８枢着部が設けられ、第１７枢着部はベースの第２枢着部と枢着され、第１８枢着部はシートユニットの第８枢着部と枢着される。
第２フレームには第１９枢着部が設けられる。
【００１４】
作動ブロックはシートユニットの下方且つ第１フレーム、第２フレームの前方の位置に設けられる。
作動ブロックの後方には第２０枢着部が設けられ、前方には上から下まで順に第２１枢着部、第２２枢着部、第２３枢着部が設けられる。
第２０枢着部はバックレストユニットの第１２枢着部と枢着され、第２３枢着部は第２フレームの第１９枢着部と枢着される。
伸縮バーの一端は作動ブロックの第２１枢着部と枢着され、別の一端はレッグレストユニットの第１３枢着部と枢着される。
【００１５】
電動シャフトの一端はシートユニットの第６枢着部と枢着され、別の一端は作動ブロックの第２２枢着部と枢着される。
シートフレームの両側の後端それぞれには凸ボタンが設けられる。
バックレストユニットのバックレストフレーム上の２つのサイドプレートには、シートユニットの凸ボタンを接合可能な円弧形溝孔が設けられる。
【考案の効果】
【００１６】
本考案の電動立ち上がりアシストリクライニングチェアは、バックレストユニットが後傾しておらず、レッグレストユニットも伸長しておらず、シートユニットも上昇していない状態において、電動シャフトの伸長する長さを設定し、作動ブロックの角度を位置決めすることで、レッグレストユニットが展開せず、シートユニットの後方が上昇しないような状態を確保することができる。
伸縮バーは延出する長さを具備することができる。
コード牽引装置のコード体はレッグレストユニットの支持部を牽引して折り畳むことができ、これにより折り畳みに安定性を持たせることができる。
【００１７】
本考案の電動立ち上がりアシストリクライニングチェアは、電動シャフトの伸長時に連動して作動ブロックの上方が前方向に移動し、それに連動して伸縮バーが前に移動してレッグレストユニットが展開できるようになっている。この時、バックレストユニットのバックレストフレームは後方向に若干移動可能であり、レッグレストユニットの後方の当接端がシートユニットのストッパ部と当接することでレッグレストユニットの最大展開角度を限定することができる他、レッグレストユニットの展開時にバックレストユニットのバックレストフレームが大きく後傾しないようにすることができ、これにより使用者が読書や他の作業をする際に脚部を休めることができる。
【００１８】
本考案の電動立ち上がりアシストリクライニングチェアは、電動シャフトを伸長させ続けると作動ブロックの後方が上方向に移動し、バックレストユニットの第１リンクバーの移動及びバックレストフレームの後傾動作を連動させることができる。
同時に、作動ブロックの前側の上方が前方向に移動し、伸縮バーを圧縮させることができる。これにより伸縮バーが作動ブロックの動作ストロークを継続可能にして、バックレストフレームが正常に後傾動作し、レッグレストユニットに影響しないようにさせることができる。
【００１９】
本考案の電動立ち上がりアシストリクライニングチェアは、立ち上がり動作の場合、電動シャフトを収縮させることができ、連動して作動ブロックを移動させるとともに第１フレーム、第２フレームの前方を上昇させることができる。
また、第１フレーム、第２フレームはシートユニットの対応する上昇及び後方の上昇動作を連動させることができ、使用者に臀部の上昇及び前向きの重心を供し、立ち上がる動作を容易にさせることができる。
【００２０】
本考案の電動立ち上がりアシストリクライニングチェアは、一つの電動シャフトだけでレッグレストユニットの折り畳み・展開、バックレストフレームの後傾角度の調節、シートユニットの上昇動作を行うことができる。
また、全体の構成部品がシンプルであるとともに、優れた安定性を有する。
さらに、レッグレストユニットをバックレストフレームと別々に動作させることができ、読書や体を仰向けにして休む際の利便性及び快適性を向上させる効果が得られる。
【図面の簡単な説明】
【００２１】
【図１】本考案の分解斜視図である。
【図２】本考案の斜視図であり、レッグレストユニットを展開させた状態を示す。
【図３】本考案の斜視図であり、レッグレストユニットが折り畳まれた状態を示す。
【図４】本考案の側面図であり、レッグレストユニットが折り畳まれた状態を示す。
【図５】本考案の側面図であり、バックレストフレームを少し後傾させ、レッグレストユニットを展開させた状態を示す。
【図６】本考案の側面図であり、バックレストフレームを最大角度まで後傾させた状態を示す。
【図７】本考案の側面図であり、シートユニットを上昇させた状態を示す。
【図８】本考案の斜視図であり、シートユニットを上昇させた状態を示す。
【考案を実施するための形態】
【実施例】
【００２２】
図１〜図４を参照する。
本考案の電動立ち上がりアシストリクライニングチェアは、ベース１、シートユニット２、バックレストユニット３、レッグレスト４、連動ユニット５、電動シャフト６を含む。
そのうち図中のレッグレストユニット４が展開するのは前方向、後方向に画定されている。
（ベース１）
ベース１はベース部１１を備え、ベース部１１は中央に支柱１２を備え、支柱１２の上方には地面と平行なクロスアーム１３が設けられ、クロスアーム１３の両側にはそれぞれ接合プレート１４が設けられる。
接合プレート１４の後側及び上方、下方にはそれぞれ第１枢着部１５、第２枢着部１６が設けられる。
【００２３】
（シートユニット２）
シートユニット２は、シートフレーム２１、シャーシ２２を含む。
（シートユニット２のシートフレーム２１）
シートフレーム２１は四角形を呈し、地面に対してほぼ水平に設けられて着座に供される。
シートフレーム２１の前方には第３枢着部２１１、第４枢着部２１０が設けられる。
シートフレーム２１の後方の両側及び中央にはそれぞれ第５枢着部２１２、第６枢着部２１３が設けられ、第３枢着部２１１に近接する位置にはストッパ部２１４が設けられる。
シートフレーム２１の両側の後端それぞれには凸ボタン２１５が設けられる。
シャーシ２２はシートフレーム２１の下方に設けられ、対応する２つのサイドベース２２１を備える。
（シートユニット２のシャーシ２２）
シャーシ２２の２つのサイドベース２２１の上方はそれぞれシートフレーム２１の両側に固定接続され、２つのサイドベース２２１は中央に連結された第１ビーム２２２を備える。
シャーシ２２の２つのサイドベース２２１の上方、下方にはそれぞれ第７枢着部２２３、第８枢着部２２４が設けられる。
【００２４】
（バックレストユニット３）
バックレストユニット３は、バックレストフレーム３１、第１リンクバー３２を含む。
（バックレストユニット３のバックレストフレーム３１）
バックレストフレーム３１の下方の両側それぞれには対応するサイドプレート３１１が設けられ、サイドプレート３１１の前方には第９枢着部３１２が設けられて、シートフレーム２１後方の第５枢着部２１２と枢着される。
バックレストフレーム３１の下方の両側に対応する２つのサイドプレート３１１にはシートユニット２の凸ボタン２１５を接合可能な円弧形溝孔３１３が設けられる。
バックレストフレーム３１の中央の下方には第１０枢着部３１４が設けられる。
（バックレストユニット３の第１リンクバー３２）
第１リンクバー３２の後方と前方それぞれには第１１枢着部３２１、第１２枢着部３２２が設けられ、第１１枢着部３２１はバックレストフレーム３１の第１０枢着部３１４と枢着される。
【００２５】
（レッグレストユニット４）
レッグレストユニット４は多リンク機構で、且つ展開・折り畳みが可能であり、展開時に対応位置が後方となる接続部４１及び前方となる支持部４２を備える。
（レッグレストユニット４の接続部４１）
接続部４１は、フレーム４１１、２つの第２リンクバー４１２を備える。
フレーム４１１は２つの平行なピース体４１３を備える。
２つのピース体４１３は間に連結された第２リンクバー４１４を備える。
２つのピース体４１３の後端にはレッグレストユニット４の展開時にシートユニット２のシートフレーム２１のストッパ部２１４と当接することができるフック状の当接端４１５を備える。
２つのピース体４１３の後方には第１３枢着部４１６、第１４枢着部４１７が設けられ、第１４枢着部４１７はシートユニットの第４枢着部２１０と枢着される。
２つの第２リンクバー４１２の二端はそれぞれシートフレーム２１の第３枢着部２１１及び支持部４２と枢着され、接続部４１及び支持部４２を連動して動作させることができる。
【００２６】
（レッグレストユニット４の支持部４２）
支持部４２は４つのリンクバー４２１及び２つの支持バー４２２で構成されたリンケージを備える。
各リンクバー４２１の二端はそれぞれフレーム４１１の前方及び支持バー４２２と枢着される。
リンケージの後方は接続部４１の第２リンクバー４１２と枢着され、
レッグレストユニット４が折り畳まれる時に接続部４１及び支持部４２をシートフレーム２１の下方に位置させることができ、
レッグレストユニット４の展開時には接続部４１及び支持部４２をシートフレーム２１の前方に位置させ、支持バー４２２を４つのリンクバー４２１の上方に位置させることができる。
【００２７】
（連動ユニット５）
連動ユニット５は、第１フレーム５１、第２フレーム５２、作動ブロック５３、伸縮バー５４、コード牽引装置５５を含む。
（連動ユニット５の第１フレーム５１）
第１フレーム５１は平行に配列された２つのピース体５１１を備え、中央には連結された第３ビーム５１２を備える。
第３ビーム５１２の下方にはベース１のクロスアーム１３に当接することができる支持板５１３が設けられる。
２つのピース体５１１の後端と前端それぞれには第１５枢着部５１４、第１６枢着部５１５が設けられ、第１５枢着部５１４はベース１の第１枢着部１５と枢着され、第１６枢着部５１５はシートユニット２のシャーシ２２の第７枢着部２２３と枢着される。
【００２８】
（連動ユニット５の第２フレーム５２）
第２フレーム５２は平行に配列された２つのピース体５２１を備え、２つのピース体５２１は間に連結された第４ビーム５２２を備える。
２つのピース体５２１の後端と前端それぞれには第１７枢着部５２３、第１８枢着部５２４が設けられ、第１７枢着部５２３はベース１の第２枢着部１６と枢着され、第１８枢着部５２４はシートユニット２のシャーシ２２の第８枢着部２２４と枢着される。
第４ビーム５２２の中央には第１９枢着部５２５が設けられる。
【００２９】
（連動ユニット５の作動ブロック５３）
作動ブロック５３はシートユニット２の下方及び第１フレーム５１、第２フレーム５２の前方の位置に設けられ、また平行に配列された２つのピース体５３１を備える。
２つのピース体５３１は間に連結された第５ビーム５３２を備える。
２つのピース体５３１の後端には第２０枢着部５３３が設けられ、前方には上から下まで順に第２１枢着部５３４、第２２枢着部５３５、第２３枢着部５３６が設けられる。
第２０枢着部５３３はバックレストユニット３の第１リンクバー３２の第１２枢着部３２２と枢着され、またその前方下端の第２３枢着部５３６は第２フレーム５２の第１９枢着部５２５と枢着される。
【００３０】
（連動ユニット５の伸縮バー５４）
伸縮バー５４は伸長弾性を有し、バックレストユニット３部分が後傾ストロークにあるときレッグレストユニット４が動作しないようにすることができる。
伸縮バー５４は外筒５４１と外筒５４１内に設けられた内部バー５４２を備えている。内部バー５４２の一端は外筒５４１内で伸縮動作が可能であり、空気圧又はバネにより伸縮可能な弾性を有している（図示しない）。
伸縮バー５４の外筒５４１の一端は作動ブロック５３の前側上方の第２１枢着部５３４と枢着され、内部バー５４２の一端はレッグレストユニット４のフレーム４１１の第１３枢着部４１６と枢着される。
【００３１】
（連動ユニット５のコード牽引装置５５）
コード牽引装置５５は巻き上げドラム５５１、コード体５５２を備えている。
巻き上げドラム５５１はシートユニット２のシャーシ２２の第１ビーム２２２上に設けられる。
コード体５５２は巻き上げドラム５５１上に設けられ、巻き上げ可能な弾性を有する。
コード体５５２の一端はレッグレストユニット４の支持部４２の前方と結合され、レッグレストユニット４の折り畳みに弾性を持たせる。
【００３２】
（電動シャフト６）
電動シャフト６はモータ６１を備え、電動シャフト６の伸縮動作を連動させることができる。
電動シャフト６の一端はシートユニット２のシートフレーム２１の後方中央の第６枢着部２１３と枢着され、別の一端は作動ブロック５３の前方中央の第２２枢着部５３５と枢着される。
レッグレストユニット４が展開しておらず、シートユニット２の後方が上昇していない状態において電動シャフト６を一定の長さに伸長させる。
【００３３】
（実施形態の効果）
本考案の電動立ち上がりアシストリクライニングチェアは、バックレストユニット３が後傾しておらず、レッグレストユニット４も伸長しておらず、シートユニット２の後方も上昇していない状態において、電動シャフト６の伸長する長さを設定し、作動ブロック５３の角度を位置決めし、レッグレストユニット４が展開せず、シートユニット２の後方が上昇しないような状態を確保することができる。
またこの時伸縮バー５４は延出する長さを具備することができる。
またコード牽引装置５５のコード体５５２はレッグレストユニット４の支持部４２を牽引して折り畳むことができ、これにより折り畳みに安定性を持たせることができる。
【００３４】
図５を参照する。
本考案の電動立ち上がりアシストリクライニングチェアは、電動シャフト６の伸長時に連動して作動ブロック５３の上方が前方向に移動し、それに連動して伸縮バー５４が前に移動してレッグレストユニット４が展開できるようになっている。
この時バックレストユニット３のバックレストフレーム３１は後方向に若干移動可能であり、レッグレストユニット４の後方の当接端４１５がシートユニット２のストッパ部２１４と当接することでレッグレストユニット４の最大展開角度を限定することができる。
またレッグレストユニット４の展開時にバックレストユニット３のバックレストフレーム３１が大きく後傾しないようにすることができ、これにより使用者が読書や他の作業を行いやすくすることができる。
【００３５】
図６を参照する。
本考案の電動立ち上がりアシストリクライニングチェアは、電動シャフト６を伸長させ続けると作動ブロック５３の後方が上方向に移動し、バックレストユニット３の第１リンクバー３２の移動及びバックレストフレーム３１の後傾動作を連動させることができる。
また同時に作動ブロック５３の前側の上方が前方向に移動し、且つ伸縮バー５４を圧縮させることができる。これにより伸縮バー５４が作動ブロック５３の動作ストロークを継続可能にして、バックレストフレーム３１が正常に後傾動作し、レッグレストユニット４に影響しないようにさせることができる。
またバックレストユニット３の動作をレッグレストユニット４から独立させることができ、バックレストフレーム３１の後傾角度が大きい場合、使用者が仰向けに近い姿勢になり、凭れ掛かる際に優れた快適性を提供することができる。
また上述のバックレストフレーム３１は後傾動作において円弧形溝孔３１３がシートユニット２の凸ボタン２１５の動作に対応することで、動作に優れた安定性を持たせ、円弧形溝孔３１３がバックレストフレーム３１の最大後傾角度を限定することができる。
【００３６】
図４を参照する。
本考案の電動立ち上がりアシストリクライニングチェアは、電動シャフト６を収縮させたときに作動ブロック５３を反対方向に移動させることができる。
またバックレストユニット３のバックレストフレーム３１の折り畳み及びレッグレストユニット４の折り畳みを連動させることができ、且つコード牽引装置５５のコード体５５２が適度な牽引力でレッグレストユニット４を牽引することにより、折り畳みの安定性を向上させることができる。
【００３７】
図７、図８を参照する。
本考案の電動立ち上がりアシストリクライニングチェアは、立ち上がり動作の場合、電動シャフト６を収縮させることができ、連動して作動ブロック５３を移動させるとともに第１フレーム５１、第２フレーム５２の前方を上昇させることができる。
また第１フレーム５１、第２フレーム５２はシートユニット２の対応する上昇及び後方の上昇動作を連動させることができ、使用者に臀部の上昇及び前向きの重心を供し、立ち上がる動作を容易にさせることができる。
【００３８】
以上述べたように、本考案の電動立ち上がりアシストリクライニングチェアは、一つの電動シャフト６だけでレッグレストユニット４の折り畳み・展開、バックレストフレーム３１の後傾角度の調節、シートユニット２の上昇動作を行うことができ、全体の構成部品がシンプルであるとともに、優れた安定性を有する。
また、レッグレストユニット４をバックレストフレーム３１と別々に動作させることができ、読書や体を仰向けにして休む際の利便性及び快適性を向上させる効果が得られる。
【００３９】
上述の実施例は本考案を例示するものであって、本考案を限定するものではない。また本考案の技術的範囲を逸脱せずに同等の効果が得られる多くの修正及び改変が可能であり、それらの結果もすべて本考案の範疇に属するものとする。なお、本考案の範疇は実用新案登録請求の範囲により限定される。
【符号の説明】
【００４０】
１      ベース
１１    ベース部
１２    支柱
１３    クロスアーム
１４    接合プレート
１５    第１枢着部
１６    第２枢着部
２      シートユニット
２１    シートフレーム
２１１  第３枢着部
２１０  第４枢着部
２１２  第５枢着部
２１３  第６枢着部
２１４  ストッパ部
２１５  凸ボタン
２２    シャーシ
２２１  サイドベース
２２２  第１ビーム
２２３  第７枢着部
２２４  第８枢着部
３      バックレストユニット
３１    バックレストフレーム
３１１  サイドプレート
３１２  第９枢着部
３１３  円弧形溝孔
３１４  第１０枢着部
３２    第１リンクバー
３２１  第１１枢着部
３２２  第１２枢着部
４      レッグレストユニット
４１    接続部
４１１  フレーム
４１２  第２リンクバー
４１３  ピース体
４１４  第２ビーム
４１５  当接端
４１６  第１３枢着部
４１７  第１４枢着部
４２    支持部
４２１  リンクバー
４２２  支持バー
５      連動ユニット
５１    第１フレーム
５１１  ピース体
５１２  第３ビーム
５１３  支持板
５１４  第１５枢着部
５１５  第１６枢着部
５２    第２フレーム
５２１  シート体
５２２  第４ビーム
５２３  第１７枢着部
５２４  第１８枢着部
５２５  第１９枢着部
５３    作動ブロック
５３１  ピース体
５３２  第５ビーム
５３３  第２０枢着部
５３４  第２１枢着部
５３５  第２２枢着部
５３６  第２３枢着部
５４    伸縮バー
５４１  外筒
５４２  内部バー
５５    コード牽引装置
５５１  巻き上げドラム
５５２  コード体
６      電動シャフト
６１    モータ
【図１】
0003219621.tif 000003
【図２】
0003219621.tif 000004
【図３】
0003219621.tif 000005
【図４】
0003219621.tif 000006
【図５】
0003219621.tif 000007
【図６】
0003219621.tif 000008
【図７】
0003219621.tif 000009
【図８】
0003219621.tif 000010